(57)【要約】【課題】両コネクタ１０，３０のこじり嵌合や誤挿入を防止する。【解決手段】本発明は、機器側コネクタ３０と電線側コネクタ１０が嵌合可能とされたコネクタであって、機器側コネクタ３０は、嵌合方向前側に開口して設けられた機器側フード部３２を複数積層してなる機器側フード部３２群と、機器側フード部３２にそれぞれ収容され機器側フード部３２の奥壁３３から嵌合方向前側に突出して設けられた複数の雄端子５０とを有し、電線側コネクタ１０は、複数の雄端子５０とそれぞれ嵌合する複数の雌端子４０と、雌端子４０を収容するキャビティ１７を有し、両コネクタ１０，３０の嵌合時に機器側フード部３２内に嵌合する端子保持筒部１４が複数設けられてなる端子保持筒部１４群とを有し、機器側コネクタ３０に、電線側コネクタ１０に設けられた凹部２０に嵌合することで両コネクタ１０，３０の嵌合動作を案内する凸部３５が設けられている構成とした。【選択図】図３
2014035913.tif 000002
【特許請求の範囲】
【請求項１】
機器側に設けられた機器側コネクタと、電線側に設けられた電線側コネクタとが嵌合可能とされたコネクタであって、
前記機器側コネクタは、嵌合方向前側に開口して設けられた機器側フード部を複数積層してなる機器側フード部群と、前記機器側フード部にそれぞれ収容され前記機器側フード部の奥壁から嵌合方向前側に突出して設けられた複数の雄端子とを有し、
前記電線側コネクタは、前記複数の雄端子とそれぞれ嵌合する複数の雌端子と、前記雌端子を収容するキャビティを有し、両コネクタの嵌合時に前記機器側フード部内に嵌合する端子保持筒部が複数設けられてなる端子保持筒部群とを有し、
前記両コネクタの一方に、同他方に設けられた凹部に嵌合することで前記両コネクタの嵌合動作を案内する凸部が設けられているコネクタ。
【請求項２】
前記一方のコネクタは複数の前記凸部を備え、前記他方のコネクタは複数の前記凹部を備えていることを特徴とする請求項１に記載のコネクタ。
【請求項３】
複数の前記凸部は形状の異なる凸部によって構成され、複数の凹部は形状の異なる凹部によって構成されていることを特徴とする請求項２に記載のコネクタ。
【請求項４】
前記凹部は貫通孔であることを特徴とする請求項１ないし請求項３のいずれか一項に記載のコネクタ。
【請求項５】
前記凸部および前記凹部は、前記機器側フード部群と前記端子保持筒部群が互いに嵌合する部分の周囲に配されていることを特徴とする請求項１ないし請求項４のいずれか一項に記載のコネクタ。
【請求項６】
前記機器側コネクタは、前記機器側フード部群を一括して覆うケースを備え、前記凸部は前記ケースに設けられていることを特徴とする請求項１ないし請求項５のいずれか一項に記載のコネクタ。
【発明の詳細な説明】
【技術分野】
【０００１】
本発明は、コネクタに関する。
【背景技術】
【０００２】
従来、複数の雄端子を内部に収容する複数の機器側フード部が積層された機器側コネクタとして、例えば下記特許文献１に記載のものが知られている。一方、この機器側コネクタと嵌合可能な電線側コネクタには、雄端子と嵌合する雌端子と、この雌端子を保持するランスを備えて機器側フード部内に挿入される複数の端子保持筒部とが設けられている。したがって、電線側コネクタを機器側コネクタに嵌合させると、端子保持筒部が機器側フード部内に挿入されて雄端子が雌端子に嵌合することになる。
【先行技術文献】
【特許文献】
【０００３】
【特許文献１】特開２００６−３４４４１９号公報
【発明の概要】
【発明が解決しようとする課題】
【０００４】
しかしながら、上記のコネクタでは複数の電線側コネクタが別体に構成されているため、各端子保持筒部を各機器側フード部内に挿入する作業が面倒になり、機器側コネクタに対する電線側コネクタの嵌合作業性が悪いものとなっている。この対策として、複数の電線側コネクタを一体化させておき、複数の端子保持筒部を複数の機器側フード部に対して一括して嵌合することが考えられるものの、これでは両コネクタのこじり嵌合や誤嵌合などが発生しやすくなってしまう。
【０００５】
本発明は上記のような事情に基づいて完成されたものであって、複数の端子保持筒部を複数の機器側フード部に一括して嵌合する際に、こじり嵌合や誤挿入を防止することを目的とする。
【課題を解決するための手段】
【０００６】
本発明は、機器側に設けられた機器側コネクタと、電線側に設けられた電線側コネクタとが嵌合可能とされたコネクタであって、機器側コネクタは、嵌合方向前側に開口して設けられた機器側フード部を複数積層してなる機器側フード部群と、機器側フード部にそれぞれ収容され機器側フード部の奥壁から嵌合方向前側に突出して設けられた複数の雄端子とを有し、電線側コネクタは、複数の雄端子とそれぞれ嵌合する複数の雌端子と、雌端子を収容するキャビティを有し、両コネクタの嵌合時に機器側フード部内に嵌合する端子保持筒部が複数設けられてなる端子保持筒部群とを有し、両コネクタの一方に、同他方に設けられた凹部に嵌合することで両コネクタの嵌合動作を案内する凸部が設けられている構成としたところに特徴を有する。
【０００７】
このような構成によると、両コネクタの嵌合時に凸部と凹部を嵌合させることによって両コネクタの嵌合動作を案内することができる。これにより、機器側フード部群と端子保持筒部群を一括して嵌合することができる。したがって、複数の端子保持筒部を複数の機器側フード部に一括して嵌合する際に、こじり嵌合や誤挿入を防止することができる。
【０００８】
本発明の実施の態様として、以下の構成が好ましい。
一方のコネクタは複数の凸部を備え、他方のコネクタは複数の凹部を備えている構成としてもよい。
このような構成によると、複数の凸部と複数の凹部とを嵌合させることにより両コネクタの嵌合動作をより確実に案内することができる。
【０００９】
複数の凸部は形状の異なる凸部によって構成され、複数の凹部は形状の異なる凹部によって構成されている構成としてもよい。
このような構成によると、各凸部を各凹部に正しく嵌合させることにより両コネクタの誤嵌合を防止することができる。
【００１０】
凹部は貫通孔である構成としてもよい。
このような構成によると、凸部を凹部に嵌合させた際に、凸部の嵌合状態を確認することができる。また、凸部を内部に収容可能なように凹部を大きく形成しなくてもよく、凹部側のコネクタを小型化できる。
【００１１】
凸部および凹部は、機器側フード部群と端子保持筒部群が互いに嵌合する部分の周囲に配されている構成としてもよい。
このような構成によると、凸部と凹部を嵌合させやすくなる。
【００１２】
機器側コネクタは、機器側フード部群を一括して覆うケースを備え、凸部はケースに設けられている構成としてもよい。
このような構成によると、機器側フード部群をケースによって保護することができる。また、機器側フード部群の構成を変更することなくケースの構成を変更するだけで凸部の形状や配置を変更することができる。
【発明の効果】
【００１３】
本発明によれば、複数の端子保持筒部を複数の機器側フード部に一括して嵌合する際に、こじり嵌合や誤挿入を防止することができる。
【図面の簡単な説明】
【００１４】
【図１】両コネクタの嵌合状態を斜め下方から見た斜視図
【図２】両コネクタの嵌合状態を後方から見た背面図
【図３】両コネクタの嵌合状態における内部構造を示した断面図
【図４】電線側コネクタを斜め上方から見た斜視図
【図５】電線側コネクタの正面図
【図６】電線側コネクタの背面図
【図７】電線側コネクタの右側面図
【図８】機器側コネクタを斜め上方から見た斜視図
【図９】機器側コネクタの正面図
【発明を実施するための形態】
【００１５】
＜実施形態＞
本発明の実施形態を図１ないし図９の図面を参照しながら説明する。本実施形態におけるコネクタは、図１に示すように、互いに嵌合可能な電線側コネクタ１０と機器側コネクタ３０とを備えて構成されている。機器側コネクタ３０は、バッテリや基板などの扁平な機器を積層した機器側に設けられたコネクタである。一方、電線側コネクタ１０は、電圧検知線や電力線などの電線Ｗの端末に接続されたコネクタである。なお、以下においては両コネクタ１０，３０の嵌合方向を前後方向とし、互いの嵌合面側を前側として説明する。
【００１６】
電線側コネクタ１０は、電線Ｗが後方に引き出された奥壁１１を有しており、この奥壁１１の周縁から前方に立ち上がる形態で電線側フード部１２が設けられている。この電線側フード部１２は、図５および図７に示すように、前方および右側方に開口する形態をなし、その奥壁１１から前方に突出する形態をなす複数の端子保持筒部１４を備えている。これらの端子保持筒部１４は上下方向に並んで配設されている。端子保持筒部１４の基端側には、図７に示すように、リテーナ１３が装着されている。なお、複数の端子保持筒部１４によって本発明の端子保持筒部群が構成されている。
【００１７】
電線側フード部１２の左側面には、図４に示すように、平板状のロックアーム１５が設けられている。このロックアーム１５は、電線側フード部１２の後端から立ち上がった後、片持ち状をなして前方に延びる形態とされている。ロックアーム１５の前端部には、ロック孔１６が板厚方向に貫通して形成されている。ロックアーム１５の前端は、弾性変位可能に形成されている。
【００１８】
端子保持筒部１４の内部には、図３に示すように、雌端子４０を収容可能なキャビティ１７が形成されている。この雌端子４０は、電線Ｗの端末に接続される電線接続部４１と、雄端子５０が内部に嵌合する端子嵌合部４２とを備えて構成されている。端子嵌合部４２は、前後両端が開口する角筒状をなし、その内部には弾性接触片４３が形成されている。端子嵌合部４２の前端開口には、断面方形状をなす雄端子５０が進入可能とされており、弾性接触片４３が撓み変形して雄端子５０に弾性的に接触することにより、両端子４０，５０が導通可能に接続される。
【００１９】
端子保持筒部１４の周壁には、リテーナ１３が装着されるリテーナ装着口１８が形成されている。また、端子保持筒部１４の内壁には、ランス１９が形成されている。これにより、後方からキャビティ１７に雌端子４０を挿入すると、ランス１９が端子嵌合部４２に設けられたランスホールに嵌まり込むことで雌端子４０が抜け止めされる。また、リテーナ装着口１８にリテーナ１３を装着すると、このリテーナ１３が端子嵌合部４２の後端角部に後方から係止することで、雌端子４０がランス１９とともに二重係止状態で抜け止めされる。
【００２０】
機器側コネクタ３０は、機器毎に設けられた複数の機器側フード部３２を有している。複数の機器側フード部３２は積層されており、これらの機器側フード部３２によって本発明の機器側フード部群が構成されている。複数の機器側フード部３２は、機器側ケース３１によって一括して覆われている。雄端子５０は、機器側フード部３２の奥壁３３から前方に突出して設けられている。機器側ケース３１の右側面には、図９に示すように、ロック突部３４が設けられている。電線側コネクタ１０の電線側フード部１２内に機器側ケース３１を嵌合させると、ロックアーム１５のロック孔１６にロック突部３４が嵌まり込んで係止することで両コネクタ１０，３０が嵌合状態に保持される。
【００２１】
さて、本実施形態では両コネクタ１０，３０の嵌合動作を案内する案内機構が設けられている。この案内機構は、電線側コネクタ１０に設けられた複数の凹部２０と、機器側コネクタ３０に設けられた複数の凸部３５とによって構成されている。
【００２２】
凹部２０は、図６に示すように、図示４個の凹部２０によって構成されており、複数の端子保持筒部１４を覆う位置に配されて奥壁１１を貫通して形成されている。このうち図示左側に位置する上下一対の凹部２０は、いずれも上下方向に長い長方形状の貫通孔として構成されている。また、図示右上側に位置する凹部２０は、円形状の貫通孔として構成され、図示右下側に位置する凹部２０は、正方形状の貫通孔として構成されている。
【００２３】
一方、凸部３５は、図８に示すように、図示４個の凸部３５によって構成されており、電線側コネクタ１０との嵌合面（奥壁１１と対向する面）のうち機器側ケース３１によって構成されている周縁部から前方に突出して形成されている。このうち図示左側に位置する上下一対の凸部３５は、いずれも上下方向に長い長方形状の断面からなる柱状部として構成されている。また、図示右上側に位置する凸部３５は、円形状の断面からなる柱状部として構成され、図示右下側に位置する凸部３５は、正方形状の断面からなる柱状部として構成されている。
【００２４】
両コネクタ１０，３０を嵌合させた状態では、図１に示すように、各凸部３５が各凹部２０にほぼ適合して嵌合する。このため、両コネクタ１０，３０の嵌合途中では、各凸部３５が各凹部２０に沿って進行することにより両コネクタ１０，３０の嵌合動作が案内され、こじり嵌合が防止される。また、各凸部３５が異なる形状の凸部３５によって構成され、各凹部２０が異なる形状の凹部２０によって構成されているため、誤嵌合が防止される。例えば、円形の凸部３５は円形の凹部２０に嵌合し、それ以外の凹部２０に嵌合しないことから、正規の嵌合姿勢となったときにはじめて両コネクタ１０，３０の嵌合が許容されることになる。
【００２５】
以上のように本実施形態では、両コネクタ１０，３０の嵌合時に凸部３５と凹部２０を嵌合させることによって両コネクタ１０，３０の嵌合動作を案内することができる。これにより、複数の機器側フード部３２と複数の端子保持筒部１４とを一括して嵌合することができる。したがって、複数の端子保持筒部１４を複数の機器側フード部３２に一括して嵌合する際に、こじり嵌合や誤挿入を防止することができる。
【００２６】
機器側コネクタ３０は複数の凸部３５を備え、電線側コネクタ１０は複数の凹部２０を備えている構成としてもよい。
このような構成によると、複数の凸部３５と複数の凹部２０を嵌合させることにより両コネクタ１０，３０の嵌合動作をより確実に案内することができる。
【００２７】
複数の凸部３５は形状の異なる凸部３５によって構成され、複数の凹部２０は形状の異なる凹部２０によって構成されている構成としてもよい。
このような構成によると、各凸部３５を各凹部２０に正しく嵌合させることにより両コネクタ１０，３０の誤嵌合を防止することができる。
【００２８】
凹部２０は貫通孔である構成としてもよい。
このような構成によると、凸部３５を凹部２０に嵌合させた際に、凸部３５の嵌合状態を確認することができる。また、凸部３５を内部に収容可能なように凹部２０を大きく形成しなくてもよく、電線側コネクタ１０を小型化できる。
【００２９】
凸部３５および凹部２０は、複数の機器側フード部３２と複数の端子保持筒部１４とが互いに嵌合する部分の周囲に配されている構成としてもよい。
このような構成によると、凸部３５と凹部２０を嵌合させやすくなる。
【００３０】
機器側コネクタ３０は、複数の機器側フード部３２を一括して覆う機器側ケース３１を備え、凸部３５は機器側ケース３１に設けられている構成としてもよい。
このような構成によると、複数の機器側フード部３２を機器側ケース３１によって保護することができる。また、複数の機器側フード部３２の構成を変更することなく機器側ケース３１の構成を変更するだけで凸部３５の形状や配置を変更することができる。
【００３１】
＜他の実施形態＞
本発明は上記記述及び図面によって説明した実施形態に限定されるものではなく、例えば次のような実施形態も本発明の技術的範囲に含まれる。
（１）上記実施形態では４つの凸部３５と４つの凹部２０とを嵌合させるようにしているものの、本発明によると、凸部と凹部を一つずつ設けてもよい。
【００３２】
（２）上記実施形態では凹部２０を貫通孔として構成しているものの、本発明によると、凹部２０を有底の凹部として構成してもよい。
【００３３】
（３）上記実施形態では異なる形状の凸部３５によって複数の凸部３５を構成し、異なる形状の凹部２０によって複数の凹部２０を構成しているものの、本発明によると、同じ形状の凸部によって複数の凸部を構成し、同じ形状の凹部によって複数の凹部を構成してもよい。
【００３４】
（４）上記実施形態では複数の端子保持筒部１４と複数の機器側フード部３２とが嵌合する部分の周囲に凸部３５および凹部２０が配されているものの、本発明によると、隣り合う端子保持筒部１４の間に凹部を形成し、隣り合う機器側フード部３２の間に凸部を形成してもよい。
【００３５】
（５）上記実施形態では機器側ケース３１に凸部３５を設けているものの、本発明によると、機器側フード部３２に凸部を設けてもよい。
【符号の説明】
【００３６】
１０…電線側コネクタ
１４…端子保持筒部
１７…キャビティ
２０…凹部
３０…機器側コネクタ
３１…機器側ケース
３２…機器側フード部
３３…奥壁
３５…凸部
４０…雌端子
５０…雄端子
Ｗ…電線
【図１】
2014035913.tif 000003
【図２】
2014035913.tif 000004
【図３】
2014035913.tif 000005
【図４】
2014035913.tif 000006
【図５】
2014035913.tif 000007
【図６】
2014035913.tif 000008
【図７】
2014035913.tif 000009
【図８】
2014035913.tif 000010
【図９】
2014035913.tif 000011